(57)【要約】【課題】  不特定のユーザーが使用する画像形成装置において、この画像形成装置による葉書印刷の際に宛先情報が漏洩する可能性を低減する。【解決手段】  不特定のユーザーに使用され葉書印刷を行う画像形成装置１において、宛先データ管理部２１は、ユーザーの携帯するポータブル記憶装置５から宛先データを取得し記憶装置１６に格納し、裏面画像取得部２２は、クラウドサーバー４から裏面画像データを取得し、印刷制御部２３は、その宛先データに基づいて、おもて面画像の画像データを生成し、生成したおもて面画像の画像データおよび取得した裏面画像データに基づく葉書印刷を印刷装置１４で実行する。そして、宛先データ管理部２１は、おもて面画像の画像データの生成後、またはおもて面画像の印刷完了後に、宛先データを記憶装置１６から消去する。【選択図】  図１
2015189046.tif 000002
【特許請求の範囲】
【請求項１】
不特定のユーザーに使用され葉書印刷を行う画像形成装置において、
印刷装置と、
記憶装置と、
前記ユーザーが提供する宛先データを取得し前記記憶装置に格納する宛先データ管理部と、
外部サーバーから裏面画像データを取得する裏面画像取得部と、
前記宛先データ管理部により取得された前記宛先データに基づいて、おもて面画像の画像データを生成し、生成したおもて面画像の画像データに基づき前記おもて面画像を葉書のおもて面に前記印刷装置で印刷し、取得した裏面画像データに基づく裏面画像を前記葉書の裏面に前記印刷装置で印刷する印刷制御部とを備え、
前記宛先データ管理部は、前記おもて面画像の画像データの生成後、または前記おもて面画像の印刷完了後に、前記宛先データを前記記憶装置から消去すること、
を特徴とする画像形成装置。
【請求項２】
前記外部サーバーは、１または複数の前記裏面画像データを提供可能であり、
前記裏面画像データは、著作権管理されている画像データであり、
前記印刷制御部は、前記裏面画像データのそれぞれについて、前記裏面画像データに基づき裏面画像を印刷した葉書の枚数をカウントすること、
を特徴とする請求項１記載の画像形成装置。
【請求項３】
前記印刷制御部は、前記裏面画像データのそれぞれについて、前記裏面画像データに基づき裏面画像を印刷した葉書の枚数を、著作権使用料の計算のために前記外部サーバーへ通知することを特徴とする請求項２記載の画像形成装置。
【請求項４】
前記記憶装置は、揮発性の記憶装置であり、
前記宛先データは、当該画像形成装置内の不揮発性の記憶装置には記憶されないこと、
を特徴とする請求項１から請求項３のうちのいずれか１項記載の画像形成装置。
【発明の詳細な説明】
【技術分野】
【０００１】
本発明は、画像形成装置に関するものである。
【背景技術】
【０００２】
あるシステムでは、不特定のユーザーが使用するポストカード作成端末が、カード裏面に使用するために記憶メディアから写真画像を取得し、おもて面（宛名面）に使用される宛先情報の手入力を受け付けて、ポストカードデータを作成しサーバーに保存可能となっている（例えば特許文献１参照）。
【先行技術文献】
【特許文献】
【０００３】
【特許文献１】特開２０１２−２０８６２６号公報
【発明の概要】
【発明が解決しようとする課題】
【０００４】
しかしながら、上述の技術では、不特定のユーザーが使用する端末に、公衆の眼がある環境下で宛先情報を入力する必要があるとともに、ユーザーの個人情報（秘匿情報）である宛先情報が、不特定のユーザーが使用する端末やサーバーに残ってしまい、宛先情報が漏洩する可能性がある。
【０００５】
本発明は、上記の問題に鑑みてなされたものであり、不特定のユーザーが使用する画像形成装置であって、この画像形成装置による葉書印刷の際に宛先情報が漏洩する可能性を低減する画像形成装置を得ることを目的とする。
【課題を解決するための手段】
【０００６】
本発明に係る画像形成装置は、不特定のユーザーに使用され葉書印刷を行う画像形成装置であって、印刷装置と、記憶装置と、前記ユーザーが提供する宛先データを取得し前記記憶装置に格納する宛先データ管理部と、外部サーバーから裏面画像データを取得する裏面画像取得部と、前記宛先データ管理部により取得された前記宛先データに基づいて、おもて面画像の画像データを生成し、生成したおもて面画像の画像データに基づき前記おもて面画像を葉書のおもて面に前記印刷装置で印刷し、取得した裏面画像データに基づく裏面画像を前記葉書の裏面に前記印刷装置で印刷する印刷制御部とを備える。そして、前記宛先データ管理部は、前記おもて面画像の画像データの生成後、または前記おもて面画像の印刷完了後に、前記宛先データを前記記憶装置から消去する。
【発明の効果】
【０００７】
本発明によれば、不特定のユーザーが使用する画像形成装置による葉書印刷の際に宛先情報が漏洩する可能性を低減することができる。
【図面の簡単な説明】
【０００８】
【図１】図１は、本発明の実施の形態に係る画像形成装置を含む画像形成システムの構成を示すブロック図である。
【図２】図２は、図１に示すシステムにおける上記画像形成装置による葉書印刷について説明するシーケンス図である。
【図３】図３は、図１における画像形成装置によるおもて面画像への宛先情報の埋め込みについて説明する図である。
【発明を実施するための形態】
【０００９】
以下、図に基づいて本発明の実施の形態を説明する。
【００１０】
図１は、本発明の実施の形態に係る画像形成装置を含む画像形成システムの構成を示すブロック図である。
【００１１】
図１に示すシステムでは、複合機、プリンターなどの、葉書印刷を行う画像形成装置１が、不特定のユーザーに使用可能な状態で、コンビニエンスストアなどに設置されており、さらに、インターネットなどの広域ネットワーク２に接続されている。また、パーソナルコンピューターなどのユーザー端末装置３が、広域ネットワーク２に接続可能となっており、さらに、クラウドサーバー４が広域ネットワーク２に接続されている。
【００１２】
ユーザー端末装置３は、ユーザー操作に従って、葉書印刷のための裏面画像データをクラウドサーバー４にアップロードし保存する。その際、ユーザー端末装置３は、ユーザー操作に従って、ユーザー端末装置３においてユーザーによって作成された画像データを裏面画像データとしてクラウドサーバー４にアップロードしてもよいし、裏面画像を作成するサービスを提供するウェブサイトなどでユーザーによって作成された画像データを裏面画像データとしてクラウドサーバー４にアップロードしてもよい。クラウドサーバー４には、１または複数の裏面画像データがユーザーごとに格納される。
【００１３】
また、ユーザー端末装置３は、葉書印刷のための宛先データを含む住所録データを管理しており、ユーザー操作に従って、ＵＳＢ（Universal Serial Bus）メモリー、メモリーカード、無線通信機能を有する携帯端末装置などのポータブル記憶装置５に住所録データを格納する。
【００１４】
ユーザーは、まず、クラウドサーバー４へ裏面画像データをアップロードし、ポータブル記憶装置５に住所録データを格納してから、葉書印刷を実行させたい画像形成装置１の設置場所へ行き、画像形成装置１を操作して葉書印刷を実行させる。
【００１５】
画像形成装置１は、通信装置１１、周辺機器インターフェイス１２、操作パネル１３、印刷装置１４、演算処理装置１５、および記憶装置１６を備える。
【００１６】
通信装置１１は、広域ネットワーク２に接続可能であって、広域ネットワーク２に接続されている装置（クラウドサーバー４など）とデータ通信を実行可能な、ネットワークインターフェイス、モデムなどといった通信装置である。
【００１７】
周辺機器インターフェイス１２は、ポータブル記憶装置５からのデータリードが可能な通信装置である。周辺機器インターフェイス１２としては、ＵＳＢ、赤外線通信、ブルートゥース（登録商標）などのインターフェイスが使用される。
【００１８】
操作パネル１３は、画像形成装置１の筺体に設置され、ユーザーに対して各種情報を表示する液晶ディスプレイ、インジケーターなどの表示装置、およびユーザー操作を受け付けるタッチパネル、ハードキーなどの入力装置を有する。
【００１９】
印刷装置１４は、画像データに基づき、おもて面画像を葉書用紙のおもて面（宛名面）に印刷し、裏面画像を葉書用紙の裏面に印刷する装置である。
【００２０】
演算処理装置１５は、ＣＰＵ（Central Processing Unit）、ＭＰＵ（Micro Processing Unit）などを有するコンピューターであって、図示せぬプログラムを実行することで、宛先データ管理部２１、裏面画像取得部２２、および印刷制御部２３として機能する。
【００２１】
宛先データ管理部２１は、周辺機器インターフェイス１２を使用して、ユーザーの携帯するポータブル記憶装置５から宛先データを取得し、記憶装置１６に格納する。宛先データは、葉書の宛先の住所および名称（宛名）、送り主の住所および名称を含む。
【００２２】
そして、宛先データ管理部２１は、印刷制御部２３によるおもて面画像の画像データの生成後、またはおもて面画像の印刷完了後に、宛先データを記憶装置１６から消去する。
【００２３】
裏面画像取得部２２は、通信装置１１を使用して、クラウドサーバー４から裏面画像データを取得する。
【００２４】
印刷制御部２３は、宛先データ管理部２１により取得された宛先データに基づいて、おもて面画像の画像データを生成し、生成したおもて面画像の画像データに基づきおもて面画像を葉書のおもて面に印刷装置１４で印刷し、取得した裏面画像データに基づく裏面画像を葉書の裏面に印刷装置１４で印刷する。
【００２５】
また、この実施の形態では、クラウドサーバー４は、著作権管理されている１または複数の裏面画像データを提供可能であり、印刷制御部２３は、著作権管理されている裏面画像データが葉書印刷に使用された場合、裏面画像データのそれぞれについて、裏面画像データに基づき裏面画像を印刷した葉書の枚数をカウントし、著作権使用料の計算のためにクラウドサーバー４へ通知する。なお、著作権使用料の支払いは、画像形成装置１におけるユーザーへの課金とは別に、クラウドサーバー４の事業者と著作権者との間で行われ、ユーザーは関与しない。
【００２６】
なお、宛先データ管理部２１により取得された宛先データは、ＲＡＭ（Random Access Memory）などの揮発性の記憶装置のみに記憶され、当該画像形成装置１内の不揮発性の記憶装置には記憶されないことが好ましい。
【００２７】
次に、図１に示すシステムにおける上記画像形成装置による葉書印刷について説明する。図２は、図１に示すシステムにおける上記画像形成装置による葉書印刷について説明するシーケンス図である。
【００２８】
ユーザー端末装置３が、ユーザー操作に従って、裏面画像登録要求をクラウドサーバー４へ送信する（ステップＳ１）。このとき、裏面画像登録要求とともにユーザー所望の画像データが裏面画像データとしてアップロードされたり、裏面画像登録要求によって、著作権管理されている画像データのうち、ユーザーが裏面画像データとして使用したいものが指定される。
【００２９】
クラウドサーバー４は、その裏面画像登録要求を受け付けると、そのユーザーのユーザーＩＤに関連付けて、裏面画像データを登録する（ステップＳ２）。
【００３０】
その後、ユーザーは、予め作成してある住所録データ（つまり、宛先データ）をポータブル記憶装置５に格納し、ポータブル記憶装置５を携帯して画像形成装置１の設置場所（コンビニエンスストアなど）に行く。
【００３１】
そして、画像形成装置１の裏面画像取得部２２は、そのユーザーのユーザー操作に従って、クラウドサーバー４からダウンロード可能な裏面画像データ（そのユーザーのユーザーＩＤに関連付けられているプライベートなものおよび／または一般公開されており著作権管理されているもの）のうち、ユーザー所望の裏面画像データを特定し、裏面画像送信要求をクラウドサーバー４へ送信し（ステップＳ４）、その裏面画像データをダウンロードする（ステップＳ５）。
【００３２】
このとき、裏面画像取得部２２は、ダウンロード可能な裏面画像データのリストを取得して操作パネル１３に表示させ、操作パネル１３に対するユーザー操作に従って、そのリストから、ユーザー所望の裏面画像データを選択するようにしてもよい。また、裏面画像取得部２２は、裏面画像データをダウンロードした後、その裏面画像データに基づく画像を操作パネル１３にプレビュー表示させ、所定のユーザー操作が検出された場合、ユーザー所望の裏面画像データを確定するようにしてもよい。
【００３３】
葉書印刷に使用される裏面画像データが確定された後、画像形成装置１の宛先データ管理部２１は、そのユーザーのユーザー操作に基づいて、周辺機器インターフェイス１２を使用して、ポータブル記憶装置５から宛先データを取得し、記憶装置１６に格納する（ステップＳ６）。
【００３４】
そして、印刷制御部２３は、宛先データから、おもて面画像の画像データを生成する（ステップＳ７）。図３は、図１における画像形成装置１によるおもて面画像への宛先情報の埋め込みについて説明する図である。この実施の形態では、図３に示すように、印刷制御部２３は、おもて面画像のレイアウトを示すひな形データを有しており、ひな形データに予め記述されている宛先住所、宛先名称、送主住所、および送主名称のテキストを、取得された宛先データにより指定されている宛先住所、宛先名称、送主住所、および送主名称のテキストに置き換えて、おもて面画像の画像データを生成する。なお、宛先データに郵便番号が含まれている場合には、所定の位置に郵便番号が挿入される。
【００３５】
印刷制御部２３は、生成したおもて面画像の画像データおよび取得した裏面画像データに基づき、葉書の両面印刷を印刷装置１４で実行し（ステップＳ８）、印刷制御部２３は、印刷枚数をカウントし、例えばコインベンダーなどを使用して印刷枚数に基づく課金処理をユーザーに対して行うとともに、裏面画像データが著作権管理されているものである場合には、その裏面画像データについての印刷枚数をクラウドサーバー４へ通知する（ステップＳ９）。
【００３６】
そして、印刷制御部２３は、記憶装置１６における宛先データを消去する（ステップＳ１０）。なお、宛先データの消去は、ステップＳ９の課金処理の前に行うようにしてもよい。
【００３７】
以上のように、上記実施の形態によれば、不特定のユーザーに使用され葉書印刷を行う画像形成装置１において、宛先データ管理部２１は、ユーザーの携帯するポータブル記憶装置５から宛先データを取得し記憶装置１６に格納し、裏面画像取得部２２は、クラウドサーバー４から裏面画像データを取得し、印刷制御部２３は、宛先データ管理部２１により取得された宛先データに基づいて、おもて面画像の画像データを生成し、生成したおもて面画像の画像データに基づきおもて面画像を葉書のおもて面に印刷装置１４で印刷し、取得した裏面画像データに基づく裏面画像を葉書の裏面に印刷装置１４で印刷する。そして、宛先データ管理部２１は、おもて面画像の画像データの生成後、またはおもて面画像の印刷完了後に、宛先データを記憶装置１６から消去する。
【００３８】
これにより、不特定のユーザーが使用する画像形成装置１による葉書印刷の際に宛先情報が漏洩する可能性を低減することができる。
【００３９】
なお、上述の実施の形態は、本発明の好適な例であるが、本発明は、これらに限定されるものではなく、本発明の要旨を逸脱しない範囲において、種々の変形、変更が可能である。
【００４０】
例えば、上記実施の形態において、ユーザー端末装置３およびポータブル記憶装置５を１台の携帯端末装置（スマートフォン、タブレット型パーソナルコンピューターなど）としてもよい。
【００４１】
また、上記実施の形態において、ユーザーが、ユーザー端末装置３などで印刷された住所録を持って画像形成装置１の設置場所へ行き、画像形成装置１のスキャナーでその住所録を読み取らせるようにしてもよい。その場合、画像形成装置１において、スキャナーで読み取られた画像から、ＯＣＲ（Optical Character Recognition）技術を使用して、宛先データが取得される。
【００４２】
また、上記実施の形態において、ユーザーがクラウドサーバー４へアップロードした裏面画像データは、ユーザーによる削除操作があるまでは継続して保存され、再利用可能としてもよい。
【産業上の利用可能性】
【００４３】
本発明は、例えば、コンビニエンスストアなどに設置される画像形成装置に適用可能である。
【符号の説明】
【００４４】
１  画像形成装置
４  クラウドサーバー（外部サーバーの一例）
５  ポータブル記憶装置
１４  印刷装置
１６  記憶装置
２１  宛先データ管理部
２２  裏面画像取得部
２３  印刷制御部
【図１】
2015189046.tif 000003
【図２】
2015189046.tif 000004
【図３】
2015189046.tif 000005